(57)【特許請求の範囲】
【請求項１】
ワイヤレス通信のための方法において、
ハイブリッド干渉除去ベースの復号の反復を実行することであって、
第１のセルから送信されたデータを復号することを試みることと、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させることと、
前記第１の種類の干渉除去を実行した後、少なくとも第２のセルから送信されたデータを処理することを試みることと、
前記第２のセルから送信されたデータを処理する前記試みの結果を使用して第２の種類の干渉除去を実行し、前記第２のセルから送信されたデータによって生じる干渉を低減させることとを備える、復号を実行することと、
前記第１のセルから送信された前記データを復号する試みが成功するかまたは反復の最大数に達するまで前記ハイブリッド干渉除去ベースの復号の前記反復を繰り返すこととを備える方法。
【請求項２】
前記第２のセルから送信された前記データを処理するのを試みる前記のことは、
前記第２のセルから送信された前記データの検出または復号の少なくとも一方を実行することを試みることを備える、請求項１に記載の方法。
【請求項３】
前記第１のセルはサービングセルを備える、請求項１に記載の方法。
【請求項４】
前記第２のセルは、送信が前記第１のセルからの送信に干渉する干渉セルを備える、請求項１に記載の方法。
【請求項５】
前記第１の種類の干渉除去はコードワードレベルの干渉除去（ＣＷＩＣ）を備える、請求項１に記載の方法。
【請求項６】
前記第２の種類の干渉除去はシンボルレベルの干渉除去（ＳＬＩＣ）を備える、請求項１に記載の方法。
【請求項７】
前記第１のセルから送信されたデータを復号する前記試みを実行する前に、
前記第２のセルから送信されたデータを処理する第１の試みを実行することと、
前記第２のセルから送信されたデータを処理する前記第１の試みの結果を使用して前記第２の種類の干渉除去を実行し、前記第２のセルから送信されたデータによって生じる干渉を低減させることとをさらに備える、請求項１に記載の方法。
【請求項８】
前記第２のセルから送信された前記データを処理する前記第１の試みを実行することは、
前記第２のセルから送信された前記データの検出または復号の少なくとも一方を実行することを試みることを備える、請求項７に記載の方法。
【請求項９】
前記第２の種類の干渉除去を実行した後、
第３のセルから送信されたデータを処理することを試みることと、
前記第３のセルから送信されたデータを処理する前記試みの結果を使用して前記第１の種類の干渉除去を実行し、前記第３のセルから送信されたデータによって生じる干渉を低減させることとをさらに備える、請求項１に記載の方法。
【請求項１０】
前記第３のセルから送信された前記データを処理するのを試みる前記のことは、
前記第３のセルから送信された前記データを制御情報に基づいて復号することを試みることを備える、請求項９に記載の方法。
【請求項１１】
前記第３のセルは、送信が前記第１のセルからの送信に干渉する干渉セルである、請求項９に記載の方法。
【請求項１２】
前記第１のセルから送信されたデータを復号する前記試みを実行する前に、
第３のセルから送信されたデータを処理することを試みることと、
前記第３のセルから送信されたデータを処理する前記試みの結果を使用して前記第１の種類の干渉除去を実行し、前記第３のセルから送信されたデータによって生じる干渉を低減させることとをさらに備える、請求項１に記載の方法。
【請求項１３】
前記第３のセルから送信された前記データを処理するのを試みる前記のことは、
前記第３のセルから送信された前記データを前記第３のセルに関する制御情報の知識に基づいて復号することを試みることを備える、請求項１２に記載の方法。
【請求項１４】
複数回の復号反復を実行して前記第１のセルから送信された前記データを復号することをさらに備える、請求項１に記載の方法。
【請求項１５】
前記第１のセルから受信された参照信号と前記第２のセルから受信された参照信号との間の受信電力差に基づいて前記復号反復の回数を求めることをさらに備える、請求項１４に記載の方法。
【請求項１６】
前記第１のセルおよび前記第２のセルから受信された前記参照信号は共通参照信号（ＣＲＳ）を備える、請求項１５に記載の方法。
【請求項１７】
ワイヤレス通信のための装置であって、
第１のセルから送信されたデータを復号することを試み、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、
前記第２のセルから送信されたデータを処理する前記試みの結果を使用して第２の種類の干渉除去を実行し、前記第２のセルから送信されたデータによって生じる干渉を低減させることによって、
ハイブリッド干渉除去ベースの復号の反復を実行するための手段と、
前記第１のセルから送信された前記データを復号する試みが成功するかまたは反復の最大数に達するまで前記ハイブリッド干渉除去ベースの復号の前記反復を繰り返すための手段とを備える装置。
【請求項１８】
前記第２のセルから送信された前記データを処理するのを試みるための前記手段は、
前記第２のセルから送信された前記データの検出または復号の少なくとも一方を実行することを試みるように構成される、請求項１７に記載の装置。
【請求項１９】
前記第１のセルはサービングセルを備える、請求項１７に記載の装置。
【請求項２０】
前記第２のセルは、送信が前記第１のセルからの送信に干渉する干渉セルを備える、請求項１７に記載の装置。
【請求項２１】
前記第１の種類の干渉除去はコードワードレベルの干渉除去（ＣＷＩＣ）を含む、請求項１７に記載の装置。
【請求項２２】
前記第２の種類の干渉除去はシンボルレベルの干渉除去（ＳＬＩＣ）を備える、請求項１７に記載の装置。
【請求項２３】
前記第２の種類の干渉除去を実行した後、
第３のセルから送信されたデータを処理することを試みることと、
前記第３のセルから送信されたデータを処理する前記試みの結果を使用して前記第１の種類の干渉除去を実行し、前記第３のセルから送信されたデータによって生じる干渉を低減させることとを実行するための手段をさらに備える、請求項１７に記載の装置。
【請求項２４】
前記第３のセルから送信された前記データを処理するのを試みるための前記手段は、
前記第３のセルから送信された前記データを制御情報に基づいて復号することを試みるように構成される、請求項２３に記載の装置。
【請求項２５】
前記第３のセルは、送信が前記第１のセルからの送信に干渉する干渉セルである、請求項２３に記載の装置。
【請求項２６】
ワイヤレス通信のためのコンピュータプログラムにおいて、
ハイブリッド干渉除去ベースの復号の反復を実行することであって、
第１のセルから送信されたデータを復号することを試みることと、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させることと、
前記第１の種類の干渉除去を実行した後、少なくとも第２のセルから送信されたデータを処理することを試みることと、
前記第２のセルから送信されたデータを処理する前記試みの結果を使用して第２の種類の干渉除去を実行し、前記第２のセルから送信されたデータによって生じる干渉を低減させることとを備える、
ハイブリッド干渉除去ベースの復号の反復を実行することと、
前記第１のセルから送信された前記データを復号する試みが成功するかまたは反復の最大数に達するまで前記ハイブリッド干渉除去ベースの復号の前記反復を繰り返すこととのためのコードを備えるコンピュータプログラム。
【請求項２７】
ワイヤレス通信のための装置であって、
処理システムを備え、前記処理システムが、
第１のセルから送信されたデータを復号することを試み、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、かつ
前記第２のセルから送信されたデータを処理する前記試みの結果を使用して第２の種類の干渉除去を実行し、前記第２のセルから送信されたデータによって生じる干渉を低減させ、かつ
前記第１のセルから送信された前記データを復号する試みが成功するかまたは反復の最大数に達するまでハイブリッド干渉除去ベースの復号の反復を繰り返す
ことによって、前記ハイブリッド干渉除去ベースの復号の反復を実行するように構成される装置。
【請求項２８】
ワイヤレス通信のための方法であって、
第１のセルから送信されたデータを復号する第１の試みを実行することと、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させることと、
前記第１の種類の干渉除去を実行した後、少なくとも第２のセルから送信されたデータを処理することを試みることと、
前記第２のセルから送信されたデータを処理する前記試みの結果を使用して第２の種類の干渉除去を実行し、前記第２のセルから送信されたデータによって生じる干渉を低減させることと、
前記第２の種類の干渉除去を実行した後、前記第１のセルにおいて送信されたデータを復号する第２の試みを実行することとを備える方法。
【請求項２９】
ワイヤレス通信のための装置であって、
第１のセルから送信されたデータを復号する第１の試みを実行するための手段と、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させるための手段と、
前記第１の種類の干渉除去を実行した後、少なくとも第２のセルから送信されたデータを処理することを試みるための手段と、
前記第２のセルから送信されたデータを処理する前記試みの結果を使用して第２の種類の干渉除去を実行し、前記第２のセルから送信されたデータによって生じる干渉を低減させるための手段と、
前記第２の種類の干渉除去を実行した後、前記第１のセルにおいて送信されたデータを復号する第２の試みを実行するための手段とを備える装置。
【請求項３０】
ワイヤレス通信のためのコンピュータプログラムであって、
第１のセルから送信されたデータを復号する第１の試みを実行し、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、
前記第２のセルから送信されたデータを処理する前記試みの結果を使用して第２の種類の干渉除去を実行し、前記第２のセルから送信されたデータによって生じる干渉を低減させ、
前記第２の種類の干渉除去を実行した後、前記第１のセルにおいて送信されたデータを復号する第２の試みを実行するためのコードを備えるコンピュータプログラム。
【請求項３１】
ワイヤレス通信のための装置であって、
処理システムを備え、前記処理システムが、
第１のセルから送信されたデータを復号する第１の試みを実行し、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、
前記第２のセルから送信されたデータを処理する前記試みの結果を使用して第２の種類の干渉除去を実行し、前記第２のセルから送信されたデータによって生じる干渉を低減させ、
前記第２の種類の干渉除去を実行した後、前記第１のセルにおいて送信されたデータを復号する第２の試みを実行するように構成される装置。
【発明の詳細な説明】
【技術分野】
【０００１】
[0001]本特許出願は、本出願の譲受人に譲渡され、参照により本明細書に明確に組み込まれる、２０１１年１１月４日に出願された「ＨＹＢＲＩＤ  ＡＰＰＲＯＡＣＨ  ＦＯＲ  ＰＨＹＳＩＣＡＬ  ＤＯＷＮＬＩＮＫ  ＳＨＡＲＥＤ  ＣＨＡＮＮＥＬ（ＰＤＳＣＨ）  ＩＮＴＥＲＦＥＲＥＮＣＥ  ＣＡＮＣＥＬＬＡＴＩＯＮ（ＩＣ）」と題する米国仮出願第６１／５５６，１３２号の優先権を主張する。
【０００２】
[0002]本開示は、概して通信システムに関し、特に、物理ダウンリンク共有チャネル（ＰＤＳＣＨ）干渉除去（ＩＣ : Interference Cancellation）のためのハイブリッド手法に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。新たな電気通信規格の一例としてＬｏｎｇ  Ｔｅｒｍ  Ｅｖｏｌｕｔｉｏｎ（ＬＴＥ）がある。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをよりうまくサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより適切に統合するように設計されている。しかしながら、モバイルブロードバンドアクセスに対する需要が増加し続けるにつれて、ＬＴＥ技術のさらなる改善が必要になっている。好ましくは、これらの改善は、他の多元接続技術と、これらの技術を採用する電気通信規格とに適用可能であるべきである。
【発明の概要】
【０００５】
[0005]本開示のいくつかの態様は、ワイヤレス通信のための方法を提供する。この方法は、ハイブリッド干渉除去ベースの復号の反復を実行することと、第１のセルから送信されたデータを復号する試みが成功するかまたは反復の最大数に達するまでハイブリッド干渉除去ベースの復号の前記反復を繰り返すこととを概して含む。第１のセルから送信されたデータを復号することを試みることと、復号する試みが成功しなかった場合、第１のセルから送信されたデータを復号する試みの結果を使用して第１の種類の干渉除去を実行し、第１のセルから送信されたデータによって生じる干渉を低減させることと、第１の種類の干渉除去を実行した後少なくとも第２のセルから送信されたデータを処理することを試みることと、第２のセルから送信されたデータを処理する試みの結果を使用して第２の種類の干渉除去を実行し、第２のセルから送信されたデータによって生じる干渉を低減させることとを概して備える、ハイブリッド干渉除去ベースの復号の反復を実行すること。
【０００６】
[0006]本開示のいくつかの態様は、ワイヤレス通信のための装置を提供する。この装置は、ハイブリッド干渉除去ベースの復号の反復を実行するための手段と、第１のセルから送信されたデータを復号する試みが成功するかまたは反復の最大数に達するまでハイブリッド干渉除去ベースの復号の反復を繰り返すための手段とを概して含む。第１のセルから送信されたデータを復号することを試みるための手段と、復号する試みが成功しなかった場合、第１のセルから送信されたデータを復号する試みの結果を使用して第１の種類の干渉除去を実行し、第１のセルから送信されたデータによって生じる干渉を低減させることと、第１の種類の干渉除去を実行した後少なくとも第２のセルから送信されたデータを処理することを試みるための手段と、第２のセルから送信されたデータを処理する試みの結果を使用して第２の種類の干渉除去を実行し、第２のセルから送信されたデータによって生じる干渉を低減させるための手段とを概して備える、ハイブリッド干渉除去ベースの復号の反復を実行するための手段。
【０００７】
[0007]本開示のいくつかの態様は、ワイヤレス通信のためのコンピュータプログラム製品であって、コードを備えるコンピュータ可読媒体を概して含むコンピュータプログラム製品を提供する。コードは、ハイブリッド干渉除去ベースの復号の反復を実行し、第１のセルから送信されたデータを復号する試みが成功するかまたは反復の最大数に達するまでハイブリッド干渉除去ベースの復号の反復を備えかつ繰り返すためのコードを概して含む。第１のセルから送信されたデータを復号することを試みることと、復号する試みが成功しなかった場合、第１のセルから送信されたデータを復号する試みの結果を使用して第１の種類の干渉除去を実行し、第１のセルから送信されたデータによって生じる干渉を低減させることと、第１の種類の干渉除去を実行した後少なくとも第２のセルから送信されたデータを処理することを試みることと、第２のセルから送信されたデータを処理する試みの結果を使用して第２の種類の干渉除去を実行し、第２のセルから送信されたデータによって生じる干渉を低減させることとを概して備える、ハイブリッド干渉除去ベースの復号の反復を実行するためのコード。
【０００８】
[0008]本開示のいくつかの態様は、ワイヤレス通信のための装置を提供する。この装置は、ハイブリッド干渉除去ベースの復号の反復を実行し、第１のセルから送信されたデータを復号する試みが成功するかまたは反復の最大数に達するまでハイブリッド干渉除去ベースの復号の反復を備えかつ繰り返すように構成された処理システムを概して含む。処理システムは、第１のセルから送信されたデータを復号することを試み、復号する試みが成功しなかった場合、第１のセルから送信されたデータを復号する試みの結果を使用して第１の種類の干渉除去を実行し、第１のセルから送信されたデータによって生じる干渉を低減させることと、第１の種類の干渉除去を実行した後少なくとも第２のセルから送信されたデータを処理することを試みることと、第２のセルから送信されたデータを処理する試みの結果を使用して第２の種類の干渉除去を実行し、第２のセルから送信されたデータによって生じる干渉を低減させることによって、ハイブリッド干渉除去ベースの復号の反復を実行するように構成される。
【０００９】
[0009]本開示のいくつかの態様は、ワイヤレス通信のための方法を提供する。この方法は、第１のセルから送信されたデータを復号する第１の試みを実行することと、復号する第１の試みが成功しなかった場合、第１のセルから送信されたデータを復号する第１の試みの結果を使用して第１の種類の干渉除去を実行し、第１のセルから送信されたデータによって生じる干渉を低減させることと、第１の種類の干渉除去を実行した後少なくとも第２のセルから送信されたデータを処理することを試みることと、第２のセルから送信されたデータを処理する試みの結果を使用して第２の種類の干渉除去を実行し、第２のセルから送信されたデータによって生じる干渉を低減させることと、第２の種類の干渉除去を実行した後第１のセルにおいて送信されたデータを復号する第２の試みを実行することとを概して含む。
【００１０】
[0010]本開示のいくつかの態様は、ワイヤレス通信のための装置を提供する。この装置は、第１のセルから送信されたデータを復号する第１の試みを実行するための手段と、復号する第１の試みが成功しなかった場合、第１のセルから送信されたデータを復号する第１の試みの結果を使用して第１の種類の干渉除去を実行し、第１のセルから送信されたデータによって生じる干渉を低減させるための手段と、第１の種類の干渉除去を実行した後少なくとも第２のセルから送信されたデータを処理することを試みるための手段と、第２のセルから送信されたデータを処理する試みの結果を使用して第２の種類の干渉除去を実行し、第２のセルから送信されたデータによって生じる干渉を低減させるための手段と、第２の種類の干渉除去を実行した後第１のセルにおいて送信されたデータを復号する第２の試みを実行するための手段とを概して含む。
【００１１】
[0011]本開示のいくつかの態様は、ワイヤレス通信のためのコンピュータプログラム製品であって、コードを備えるコンピュータ可読媒体を概して含むコンピュータプログラム製品を提供する。このコードは、第１のセルから送信されたデータを復号する第１の試みを実行し、復号する第１の試みが成功しなかった場合、第１のセルから送信されたデータを復号する第１の試みの結果を使用して第１の種類の干渉除去を実行し、第１のセルから送信されたデータによって生じる干渉を低減させ、第１の種類の干渉除去を実行した後少なくとも第２のセルから送信されたデータを処理することを試み、第２のセルから送信されたデータを処理する試みの結果を使用して第２の種類の干渉除去を実行し、第２のセルから送信されたデータによって生じる干渉を低減させ、第２の種類の干渉除去を実行した後第１のセルにおいて送信されたデータを復号する第２の試みを実行するためのコードを概して含む。
【００１２】
[0012]本開示のいくつかの態様は、ワイヤレス通信のための装置を提供する。この装置は、第１のセルから送信されたデータを復号する第１の試みを実行し、復号する第１の試みが成功しなかった場合、第１のセルから送信されたデータを復号する第１の試みの結果を使用して第１の種類の干渉除去を実行し、第１のセルから送信されたデータによって生じる干渉を低減させ、第１の種類の干渉除去を実行した後少なくとも第２のセルから送信されたデータを処理することを試み、第２のセルから送信されたデータを処理する試みの結果を使用して第２の種類の干渉除去を実行し、第２のセルから送信されたデータによって生じる干渉を低減させ、第２の種類の干渉除去を実行した後第１のセルにおいて送信されたデータを復号する第２の試みを実行するように構成された処理システムを概して含む。
【図面の簡単な説明】
【００１３】
【図１】[0013]ネットワークアーキテクチャの一例を示す図。
【図２】[0014]アクセスネットワークの一例を示す図。
【図３】[0015]ＬＴＥにおけるＤＬフレーム構造の一例を示す図。
【図４】[0016]ＬＴＥにおけるＵＬフレーム構造の一例を示す図。
【図５】[0017]ユーザプレーンおよび制御プレーンのための無線プロトコルアーキテクチャの一例を示す図。
【図６】[0018]アクセスネットワーク内の発展型ノードＢおよびユーザ機器の一例を示す図。
【図７】[0019]本開示のいくつかの態様によるハイブリッドＰＤＳＣＨ  ＩＣの方法流れ図。
【図８】[0020]本開示のいくつかの態様による例示的な装置における様々なモジュール／手段／構成要素間のデータフローを示す概念データフロー図。
【図９】[0021]本開示のいくつかの態様による処理システムを採用する装置のためのハードウェア実装形態の一例を示す図。
【発明を実施するための形態】
【００１４】
[0022]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0023]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す（まとめて「要素」と呼ぶ）。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１６】
[0024]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１７】
[0025]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または命令またはデータ構造の形態の所望のプログラムコードを搬送または記憶するために使用でき、コンピュータによってアクセスできる任意の他の媒体を備えてもよい。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００１８】
[0026]図１は、ＬＴＥネットワークアーキテクチャ１００を示す図である。ＬＴＥネットワークアーキテクチャ１００は発展型パケットシステム（ＥＰＳ）１００と呼ばれる場合がある。ＥＰＳ１００は、１つまたは複数の１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、ホーム加入者サーバ（ＨＳＳ）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１９】
[0027]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを提供する。ｅＮＢ１０６は、Ｘ２インターフェース（たとえば、バックホール（backhaul））を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例には、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２０】
[0028]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２１】
[0029]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２２】
[0030]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、Ｅｖｏｌｕｔｉｏｎ−Ｄａｔａ  Ｏｐｔｉｍｉｚｅｄ（ＥＶ−ＤＯ）またはＵｌｔｒａ  Ｍｏｂｉｌｅ  Ｂｒｏａｄｂａｎｄ（ＵＭＢ）に拡張され得る。ＥＶ−ＤＯおよびＵＭＢは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するＵｎｉｖｅｒｓａｌ  Ｔｅｒｒｅｓｔｒｉａｌ  Ｒａｄｉｏ  Ａｃｃｅｓｓ（ＵＴＲＡ）、ＴＤＭＡを採用するＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、ならびに、ＯＦＤＭＡを採用する、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
[0031]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（すなわち、振幅および位相のスケーリングを適用し）、次いでＤＬ上で複数の送信アンテナを通して空間的にプリコードされた各ストリームを送信することによって実現される。空間的にプリコードされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００２４】
[0032]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって実現され得る。セルのエッジにおいて良好なカバレージを実現するために、送信ダイバーシティと組み合わせてシングルストリームビームフォーミング送信が使用され得る。
【００２５】
[0033]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリア同士は正確な周波数で離間（space）される。離間は、受信機がサブキャリアからデータを復元することを可能にする「直交性」を実現する。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２６】
[0034]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ参照信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２７】
[0035]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２８】
[0036]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００２９】
[0037]初期システムアクセスを実行し、物理ランダムアクセスチャネル（ＰＲＡＣＨ：physical random access channel）４３０中でＵＬ同期を達成するために１組のリソースブロックが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３０】
[0038]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３１】
[0039]ユーザプレーンでは、Ｌ２レイヤ５０８は、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位層を有し得る。
【００３２】
[0040]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位層データパケットのセグメント化および再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３３】
[0041]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３４】
[0042]図６は、アクセスネットワーク中でＵＥ６５０と通信しているｅＮＢ６１０のブロック図である。ＤＬでは、コアネットワークからの上位層パケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００３５】
[0043]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを容易にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で参照信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を判断するために、ならびに空間処理のために使用され得る。チャネル推定値は、ＵＥ６５０によって送信される参照信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３６】
[0044]ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと参照信号とは、ｅＮＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いでコントローラ／プロセッサ６５９に与えられる。
【００３７】
[0045]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、制御／プロセッサ６５９は、コアネットワークからの上位層パケットを復元するために、トランスポートチャネルと論理チャネルとの間での多重分離と、パケット再統合と、復号と、ヘッダ復元と、制御信号処理とを行う。上位層パケットは、次いで、Ｌ２レイヤの上のすべてのプロトコル層を表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３８】
[0046]ＵＬでは、データソース６６７は、コントローラ／プロセッサ６５９に上位層パケットを与えるために使用される。データソース６６７は、Ｌ２レイヤの上のすべてのプロトコル層を表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３９】
[0047]ｅＮＢ６１０によって送信される参照信号またはフィードバックからの、チャネル推定器６５８によって導出されるチャネル推定値は、適切な符号化および変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４０】
[0048]ＵＬ送信は、ＵＥ６５０における受信機機能に関して説明した方法と同様の方法でｅＮＢ６１０において処理される。各受信機６１８ＲＸは、そのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４１】
[0049]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位層パケットを復元するために、トランスポートチャネルと論理チャネルとの間での多重分離と、パケット再統合と、復号と、ヘッダ復元と、制御信号処理とを行う。コントローラ／プロセッサ６７５からの上位層パケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４２】
物理ダウンリンク共有チャネル（ＰＤＳＣＨ）干渉除去（ＩＣ）のためのハイブリッド手法の例
[0050]ＬＴＥ／ＬＴＥ−Ａダウンリンク（ＤＬ）におけるスペクトル効率を向上させるための有望な方法は干渉除去（ＩＣ）である。ＩＣは、すべての物理チャネルおよび信号、たとえば、一次同期シーケンス（ＰＳＳ）、二次同期シーケンス（ＳＳＳ）、物理ブロードキャストチャネル（ＰＢＣＨ）、共通参照信号（ＣＲＳ：Common Reference Signal）、専用参照信号（ＤＲＳ：Dedicated Reference Signal）、チャネル状態情報参照信号（ＣＳＩ−ＲＳ：Channel State Information-Reference Signal）、物理制御フォーマットインジケータチャネル（ＰＣＦＩＣＨ）、物理ハイブリッドＡＲＱインジケータチャネル（ＰＨＩＣＨ：Physical Hybrid ARQ Indicator Channel）、物理ダウンリンク制御チャネル（ＰＤＣＣＨ）、物理ダウンリンク共有チャネル（ＰＤＳＣＨ）などに適用されてもよい。
【００４３】
[0051]いくつかの態様では、ＩＣを実行するための２つの異なる方式、すなわち、コードワードレベルＩＣ（ＣＷＩＣ）およびシンボルレベルＩＣ（ＳＬＩＣ）がある。ＣＷＩＣでは、ＵＥは受信された干渉信号から干渉データを検出して復号し、干渉信号を取り消す。ＳＬＩＣでは、ＵＥは受信された干渉信号から干渉変調シンボルを検出し、干渉変調シンボルを信号を復号せずに取り消す。
【００４４】
[0052]ＣＷＩＣは通常、ターボデコーダまたは畳込みデコーダを復号動作に使用し、一般にコーディング利得がないＳＬＩＣと比べて対数尤度比値（ＬＬＲ）が高い。しかしながら、ＣＷＩＣでは干渉信号に関する情報が必要である。たとえば、ＰＤＳＣＨ  ＩＣの場合、ＣＷＩＣでは、変調およびコーディング方式（ＭＣＳ）、空間方式、冗長バージョン（ＲＶ）に関する情報、および干渉ＰＤＳＣＨに関するリソースブロック（ＲＢ）割当て情報が必要になることがある。一般に、サービングセルに関しては、ＵＥはサービングセルの制御チャネル（たとえば、ＰＤＣＣＨ）を復号することによってＰＤＳＣＨ情報を知り得る。
【００４５】
[0053]いくつかの態様において、この情報については、ＵＥがたとえば干渉セルに関して得ることができない場合がある。そのような場合、ＳＬＩＣが使用されてもよい。その理由は、ＳＬＩＣでは干渉セルのＰＤＳＣＨ情報がより少なくて済むからである。たとえば、ＰＤＳＣＨ  ＩＣの場合、ＳＬＩＣでは変調次数および空間方式が必要になることがあるが、（変調次数とコーディング方式の組合せを示す）ＭＣＳ、冗長バージョン、またはリソースブロック割当てが必要になるとは限らない。一態様では、ＵＥはブラインド検出を実行して干渉セルのＰＤＳＣＨ情報を得てもよい。特に、変調次数および空間方式は比較的容易にブラインド検出され得る。しかし、コーディング方式（したがって、ＭＣＳ）および冗長バージョンはブラインド検出するのがより困難であることがある。したがって、ＳＬＩＣは、干渉信号に関するＰＤＳＣＨ情報が得られないときでもブラインド検出とともに使用されることがある。しかしながら、前述の情報のいくつかはブラインド検出するのが困難であるため、ＣＷＩＣは、ＰＤＳＣＨ情報が供給されない限り使用するのが困難である。
【００４６】
[0054]ＳＬＩＣでは復号および再符号化が必要ではないので、概してＣＷＩＣと比べて実装複雑性が低い。しかしながら、ＣＷＩＣは概して、ＳＬＩＣよりも性能が高い。
【００４７】
[0055]いくつかの態様では、サービングセルに対する強い干渉物があるときのＩＣの最も単純な形態は、干渉信号を取り消してサービングセルＰＤＳＣＨを復号することである。いくつかの態様では、ＩＣの性能を向上させるためにＩＣをサービングセルと強い干渉物との間で順次繰り返して使用する反復的なＩＣ手法が使用されてよい。反復的なＩＣはＳＬＩＣ（すなわち、反復的なＳＬＩＣ）とＣＷＩＣ（すなわち、反復的なＣＷＩＣ）の両方に適用可能である。反復的なＣＷＩＣは、各ＩＣ段階の復号および再符号化プロセスにおいてコーディング利得が得られるので高い利得をもたらし得る。しかしながら、ＣＷＩＣは、干渉ＰＤＳＣＨ情報が得られない場合には使用するのが困難であることがある。一方、反復的なＳＬＩＣは、コーディング利得なしで所与のシンボルに限定されるので限られた利得をもたらすが、ＰＤＳＣＨ情報がほとんどない場合でも比較的容易に使用され得る。
【００４８】
[0056]反復的なＩＣのいくつかの態様では、ＰＤＳＣＨ情報がサービングセルについては既知であるが干渉セルについては不明である場合があることを考慮して、サービングセルにＣＷＩＣを使用し干渉セルにＳＬＩＣを使用することを含むハイブリッド手法を使用してＩＣ性能を向上させ得る。
【００４９】
[0057]反復的なＩＣでは、まず、ＵＥがサービングセルＰＤＣＣＨを復号する。次いで、ＣＷＩＣ段階では、ＰＤＣＣＨを復号することによって得られた制御情報に基づいてサービングセルＰＤＳＣＨを復号することを試みてよい。サイクリック冗長検査（ＣＲＣ）が失敗した場合、すなわち、ＵＥがサービングセルＰＤＳＣＨを首尾よく復号できない場合、ＵＥはサービングセル信号のＣＷＩＣを実行する。すなわち、ＵＥはデコーダ出力から得られるＬＬＲ値を使用してサービングセルＰＤＳＣＨシンボルを再構成し、次いでＰＤＳＣＨシンボルを受信された信号からできるだけ減算して（取り消して）より完全な干渉信号（たとえば、干渉ＰＤＳＣＨ）を得る。次いで、このより完全な干渉信号は、干渉ＰＤＳＣＨに対してＳＬＩＣを実行するためにＳＬＩＣ段階によって使用される。このことは、干渉ＰＤＳＣＨを推定し（たとえば、検出または復号し）、その後干渉ＰＤＳＣＨを受信された信号から取り消すのを試みることを含んでよい。いくつかの態様では、より完全な干渉信号によってＳＬＩＣ段階において干渉信号をよりうまく推定し得る。ＳＬＩＣ段階の結果（たとえば、干渉ＰＤＳＣＨが取り消された受信信号）は次に、サービングセルＰＤＳＣＨを復号することを再び試みるためにＣＷＩＣ段階によって使用されてよい。一態様では、ＣＲＣが再び失敗した場合、サービングセルＰＤＳＣＨを復号することを再び試みる前に、サービングセルに対するＣＷＩＣのさらなる反復およびそれに続く干渉セル信号に対するＳＬＩＣが実行されてよい。このプロセスは、サービングセルＰＤＳＣＨが首尾よく復号されるまで数回繰り返されてよい（すなわち、複数回の反復）。ＣＷＩＣとＳＬＩＣの組合せを使用する結果として、ＣＷＩＣ段階は、サービングセル信号取消しから利益を得るＳＬＩＣ段階にコーディング利得をもたらす。
【００５０】
[0058]いくつかの態様では、上記のハイブリッドＩＣ手法は、サービングセルに干渉する任意の数のセルに適用されてもよい。あらゆる反復について、ＵＥは、サービングセル信号を復号することを試みる前に各干渉セルからの信号に対するＩＣを（任意の順序で）実行してよい。一態様では、各ＩＣ段階は、前のＩＣ段階からの結果を使用してよい。さらに、ＵＥは、特定の干渉セルに対して、そのセルについてＰＤＳＣＨに関する制御情報が得られるかどうかに基づいてＣＷＩＣまたはＳＬＩＣを実行することを決定してよい。たとえば、ＵＥは、ＰＤＳＣＨ情報が得られる干渉セルに対してＣＷＩＣを実行し、ＰＤＳＣＨ情報が得られない干渉セルに対してＳＬＩＣを実行してよい。
【００５１】
[0059]いくつかの態様では、サービングセルＰＤＳＣＨを復号するためのＣＷＩＣ段階は複数回の復号反復を含んでもよい。たとえば、ＣＷＩＣ段階は、サービングセルＰＤＳＣＨを復号するための複数のターボコード反復を使用してよい。いくつかの態様では、上記の反復的なＩＣの場合、ＣＷＩＣ段階は、サービングセルＰＤＳＣＨ  ＩＣ動作が行われない場合とは異なる回数のターボコード反復を使用して複雑性を低減させてよい。たとえば、公称ＰＤＳＣＨ復号ではターボデコーダのＮ回の反復が必要になることがある。しかし、上述の反復的なＩＣ手法を使用するとき、ＣＷＩＣ段階では、ターボデコーダのＭ（一般に＜Ｎ）回の反復を使用してＣＷＩＣ段階のサービングセルＰＤＳＣＨを復号してよい。Ｍ回の反復を使用するかそれともＮ回の反復を使用するかに関する決定は、サービングセルと干渉セルとの間の共通参照信号（ＣＲＳ）の電力差によって決まり得る。たとえば、サービングセルおよび干渉セルからの参照信号受信電力（ＲＳＲＰ）測定値を使用して反復回数を決定してよい。
【００５２】
[0060]いくつかの態様では、サービングセル信号がより完全になるにつれて、サービングセルＰＤＳＣＨを復号するのに使用されるターボコード反復回数が少なくなる。
【００５３】
[0061]図７は、本開示のいくつかの態様による、ハイブリッドＰＤＳＣＨ  ＩＣのためにＵＥによって実行することのできる例示的な動作７００を示す。一態様では、ＵＥは、それぞれ図１、図２、および図６に示すＵＥ１０２、２０６、または６５０を含んでよい。
【００５４】
[0062]動作７００は、第１のセルから送信されるデータを復号する試みを実行することによって７０２から開始する。７０４において、復号する試みが成功した場合、動作は７１２で終了する。しかし、復号する試みが成功しなかった場合、７０６において、第１のセルから送信されたデータを復号する試みの結果を使用して第１の種類の干渉除去が実行され、第１のセルから送信されたデータによって生じる干渉を低減させる。７０８において、第１の種類の干渉除去を実行した後、少なくとも第２のセルから送信されたデータを処理することが試みられる。７１０において、第２のセルから送信されたデータを処理する試みの結果を使用して第２の種類の干渉除去が実行され、第２のセルから送信されたデータによって生じる干渉を低減させる。７０２において、第２の種類の干渉除去を実行した後、第１のセルにおいて送信されたデータを復号する別の試みが実行される。一態様では、ＵＥは、第１のセルから送信されたデータを首尾よく復号するまでまたは反復の最大数に達した場合に、動作７００を複数回反復してよい。
【００５５】
[0063]一態様では、ＵＥは、第２のセルに対して第２の種類の干渉除去を実行した後、第３の干渉セルから送信されたデータを処理することを試み、第３のセルから送信されたデータを処理する試みの結果を使用して第１の種類の干渉除去を実行し、第３のセルから送信されたデータによって生じる干渉を低減させる。一態様では、ＵＥは第３のセルから送信されたデータに関する制御情報を有してよく、第３のセルから送信されたデータは、制御情報に基づいて復号されてよい。
【００５６】
[0064]一態様では、第１の種類の干渉除去はＣＷＩＣを含んでよく、第２の種類の干渉除去はＳＬＩＣを含んでよい。
【００５７】
[0065]図８は、例示的な装置（たとえば、ＵＥ１０２）中の様々なモジュール／手段／構成要素間のデータフローを示す概念データフロー図８００である。ＵＥ１０２は、ハイブリッド干渉除去ベースの復号の反復を実行するためのモジュール８１２と、第１のセルから送信されたデータを復号する試みが成功するかまたは反復の最大数に達するまでハイブリッド干渉除去ベースの復号の反復を繰り返すためのモジュール８１４と、１つまたは複数のｅＮＢ１０６との間で信号を送受信するためのトランシーバモジュール８１６と含む。
【００５８】
[0066]各モジュールは、前述のプロセス／アルゴリズムを行うように特に構成された１つまたは複数のハードウェア構成要素であるか、前述のプロセス／アルゴリズムを実行するように構成されたプロセッサによって実装されるか、プロセッサによる実装のためにコンピュータ可読媒体内に記憶されるか、またはそれらの何らかの組合せであり得る。
【００５９】
[0067]図９は、処理システム９１０を採用する装置（たとえば、ＵＥ１０２）のための装置９００のためのハードウェア実装形態の例を示す図である。処理システム９１０は、バス９２０によって概略的に表されるバスアーキテクチャを用いて実装され得る。バス９２０は、処理システム９１０の特定の適用例および全体的な設計制約に応じて、任意の数の相互接続バスおよびブリッジを含み得る。バス９２０は、プロセッサ９３２によって表される１つまたは複数のプロセッサおよび／またはハードウェアモジュールと、モジュール９３４、９３５と、コンピュータ可読媒体９４０とを含む様々な回路を互いにリンクする。バス９２０はまた、タイミングソース、周辺機器、電圧調整器、および電力管理回路など、様々な他の回路をリンクし得るが、これらの回路は当技術分野においてよく知られており、したがって、これ以上説明しない。
【００６０】
[0068]処理システム９１０はトランシーバ９５０に結合される。トランシーバ９５０は、１つまたは複数のアンテナ９５２に結合される。トランシーバ９５０は、伝送媒体を介して様々な他の装置と通信するための手段を構成する。処理システム９１０は、コンピュータ可読媒体９４０に結合されたプロセッサ９３２を含む。プロセッサ９３２は、コンピュータ可読媒体９４０に記憶されたソフトウェアの実行を含む一般的な処理を担当する。ソフトウェアは、プロセッサ９３２によって実行されたとき、処理システム９１０に、任意の特定の装置のための上記で説明した様々な機能を実行させる。コンピュータ可読媒体９４０はまた、ソフトウェアを実行するときにプロセッサ９３２によって操作されるデータを記憶するために使用され得る。処理システムは、モジュール９３４および９３５をさらに含む。各モジュールは、プロセッサ９３２中で動作するか、コンピュータ可読媒体９４０中に常駐する／記憶されたソフトウェアモジュールであるか、プロセッサ９３２に結合された１つまたは複数のハードウェアモジュールであるか、またはそれらの何らかの組合せであり得る。処理システム９１０はＵＥ６５０の構成要素であってもよく、メモリ６６０、および／またはＴＸプロセッサ６６８とＲＸプロセッサ６５６とコントローラ／プロセッサ６５９のうちの少なくとも１つを含み得る。
【００６１】
[0069]一構成では、ワイヤレス通信のための装置８００／９００は、図７に示す動作の各々を実行するための手段を含む。上述の手段は、上述の手段によって具陳される機能を実行するように構成された、装置８００の上述のモジュールおよび／または装置９００の処理システム９１０のうちの１つまたは複数であり得る。上記で説明したように、処理システム９１０は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００６２】
[0070]開示したプロセスにおけるステップの特定の順序または階層は、例示的な手法の一例であることを理解されたい。設計上の選好に基づいて、プロセスにおけるステップの特定の順序または階層は並べ替えることができることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６３】
[0071]以上の説明は、当業者が本明細書で説明した様々な態様を実行するのを可能にするためのものである。これらの態様に対する様々な変更は当業者には容易に明らかになり、本明細書で定義した一般的原理は他の態様に適用されてよい。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］  ワイヤレス通信のための方法において、
ハイブリッド干渉除去ベースの復号の反復を実行することであって、
第１のセルから送信されたデータを復号することを試みることと、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させることと、
前記第１の種類の干渉除去を実行した後、少なくとも第２のセルから送信されたデータを処理することを試みることと、
前記第２のセルから送信されたデータを処理する前記試みの結果を使用して第２の種類の干渉除去を実行し、前記第２のセルから送信されたデータによって生じる干渉を低減させることとを備える、復号を実行することと、
前記第１のセルから送信された前記データを復号する試みが成功するかまたは反復の最大数に達するまで前記ハイブリッド干渉除去ベースの復号の前記反復を繰り返すこととを備える方法。
［Ｃ２］  前記第２のセルから送信された前記データを処理するのを試みる前記のことは、
前記第２のセルから送信された前記データの検出または復号の少なくとも一方を実行することを試みることを備える、Ｃ１に記載の方法。
［Ｃ３］  前記第１のセルはサービングセルを備える、Ｃ１に記載の方法。
［Ｃ４］  前記第２のセルは、送信が前記第１のセルからの送信に干渉する干渉セルを備える、Ｃ１に記載の方法。
［Ｃ５］  前記第１の種類の干渉除去はコードワードレベルの干渉除去（ＣＷＩＣ）を備える、Ｃ１に記載の方法。
［Ｃ６］  前記第２の種類の干渉除去はシンボルレベルの干渉除去（ＳＬＩＣ）を備える、Ｃ１に記載の方法。
［Ｃ７］  前記第１のセルから送信されたデータを復号する前記試みを実行する前に、
前記第２のセルから送信されたデータを処理する第１の試みを実行することと、
前記第２のセルから送信されたデータを処理する前記第１の試みの結果を使用して前記第２の種類の干渉除去を実行し、前記第２のセルから送信されたデータによって生じる干渉を低減させることとをさらに備える、Ｃ１に記載の方法。
［Ｃ８］  前記第２のセルから送信された前記データを処理する前記第１の試みを実行することは、
前記第２のセルから送信された前記データの検出または復号の少なくとも一方を実行することを試みることを備える、Ｃ７に記載の方法。
［Ｃ９］  前記第２の種類の干渉除去を実行した後、
第３のセルから送信されたデータを処理することを試みることと、
前記第３のセルから送信されたデータを処理する前記試みの結果を使用して前記第１の種類の干渉除去を実行し、前記第３のセルから送信されたデータによって生じる干渉を低減させることとをさらに備える、Ｃ１に記載の方法。
［Ｃ１０］  前記第３のセルから送信された前記データを処理するのを試みる前記のことは、
前記第３のセルから送信された前記データを制御情報に基づいて復号することを試みることを備える、Ｃ９に記載の方法。
［Ｃ１１］  前記第３のセルは、送信が前記第１のセルからの送信に干渉する干渉セルである、Ｃ９に記載の方法。
［Ｃ１２］  前記第１のセルから送信されたデータを復号する前記試みを実行する前に、
第３のセルから送信されたデータを処理することを試みることと、
前記第３のセルから送信されたデータを処理する前記試みの結果を使用して前記第１の種類の干渉除去を実行し、前記第３のセルから送信されたデータによって生じる干渉を低減させることとをさらに備える、Ｃ１に記載の方法。
［Ｃ１３］  前記第３のセルから送信された前記データを処理するのを試みる前記のことは、
前記第３のセルから送信された前記データを前記第３のセルに関する制御情報の知識に基づいて復号することを試みることを備える、Ｃ１２に記載の方法。
［Ｃ１４］  複数回の復号反復を実行して前記第１のセルから送信された前記データを復号することをさらに備える、Ｃ１に記載の方法。
［Ｃ１５］  前記第１のセルから受信された参照信号と前記第２のセルから受信された参照信号との間の受信電力差に基づいて前記復号反復の回数を求めることをさらに備える、Ｃ１４に記載の方法。
［Ｃ１６］  前記第１のセルおよび前記第２のセルから受信された前記参照信号は共通参照信号（ＣＲＳ）を備える、Ｃ１５に記載の方法。
［Ｃ１７］  ワイヤレス通信のための装置であって、
第１のセルから送信されたデータを復号することを試み、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、
前記第２のセルから送信されたデータを処理する前記試みの結果を使用して第２の種類の干渉除去を実行し、前記第２のセルから送信されたデータによって生じる干渉を低減させることによって、
ハイブリッド干渉除去ベースの復号の反復を実行するための手段と、
前記第１のセルから送信された前記データを復号する試みが成功するかまたは反復の最大数に達するまで前記ハイブリッド干渉除去ベースの復号の前記反復を繰り返すための手段とを備える装置。
［Ｃ１８］  前記第２のセルから送信された前記データを処理するのを試みるための前記手段は、
前記第２のセルから送信された前記データの検出または復号の少なくとも一方を実行することを試みるように構成される、Ｃ１７に記載の装置。
［Ｃ１９］  前記第１のセルはサービングセルを備える、Ｃ１７に記載の装置。
［Ｃ２０］  前記第２のセルは、送信が前記第１のセルからの送信に干渉する干渉セルを備える、Ｃ１７に記載の装置。
［Ｃ２１］  前記第１の種類の干渉除去はコードワードレベルの干渉除去（ＣＷＩＣ）を含む、Ｃ１７に記載の装置。
［Ｃ２２］  前記第２の種類の干渉除去はシンボルレベルの干渉除去（ＳＬＩＣ）を備える、Ｃ１７に記載の装置。
［Ｃ２３］  前記第２の種類の干渉除去を実行した後、
第３のセルから送信されたデータを処理することを試みることと、
前記第３のセルから送信されたデータを処理する前記試みの結果を使用して前記第１の種類の干渉除去を実行し、前記第３のセルから送信されたデータによって生じる干渉を低減させることとを実行するための手段をさらに備える、Ｃ１７に記載の装置。
［Ｃ２４］  前記第３のセルから送信された前記データを処理するのを試みるための前記手段は、
前記第３のセルから送信された前記データを制御情報に基づいて復号することを試みるように構成される、Ｃ２３に記載の装置。
［Ｃ２５］  前記第３のセルは、送信が前記第１のセルからの送信に干渉する干渉セルである、Ｃ２３に記載の装置。
［Ｃ２６］  ワイヤレス通信のためのコンピュータプログラム製品において、
ハイブリッド干渉除去ベースの復号の反復を実行することであって、
第１のセルから送信されたデータを復号することを試みることと、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させることと、
前記第１の種類の干渉除去を実行した後、少なくとも第２のセルから送信されたデータを処理することを試みることと、
前記第２のセルから送信されたデータを処理する前記試みの結果を使用して第２の種類の干渉除去を実行し、前記第２のセルから送信されたデータによって生じる干渉を低減させることとを備える、
ハイブリッド干渉除去ベースの復号の反復を実行することと、
前記第１のセルから送信された前記データを復号する試みが成功するかまたは反復の最大数に達するまで前記ハイブリッド干渉除去ベースの復号の前記反復を繰り返すこととのためのコードを備えるコンピュータ可読媒体を備えるワイヤレス通信のためのコンピュータプログラム製品。
［Ｃ２７］  ワイヤレス通信のための装置であって、
処理システムを備え、前記処理システムが、
第１のセルから送信されたデータを復号することを試み、
復号する前記試みが成功しなかった場合、前記第１のセルから送信されたデータを復号する前記試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、かつ
前記第２のセルから送信されたデータを処理する前記試みの結果を使用して第２の種類の干渉除去を実行し、前記第２のセルから送信されたデータによって生じる干渉を低減させ、かつ
前記第１のセルから送信された前記データを復号する試みが成功するかまたは反復の最大数に達するまで前記ハイブリッド干渉除去ベースの復号の反復を繰り返す
ことによって、ハイブリッド干渉除去ベースの復号の反復を実行するように構成される装置。
［Ｃ２８］  ワイヤレス通信のための方法であって、
第１のセルから送信されたデータを復号する第１の試みを実行することと、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させることと、
前記第１の種類の干渉除去を実行した後、少なくとも第２のセルから送信されたデータを処理することを試みることと、
前記第２のセルから送信されたデータを処理する前記試みの結果を使用して第２の種類の干渉除去を実行し、前記第２のセルから送信されたデータによって生じる干渉を低減させることと、
前記第２の種類の干渉除去を実行した後、前記第１のセルにおいて送信されたデータを復号する第２の試みを実行することとを備える方法。
［Ｃ２９］  ワイヤレス通信のための装置であって、
第１のセルから送信されたデータを復号する第１の試みを実行するための手段と、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させるための手段と、
前記第１の種類の干渉除去を実行した後、少なくとも第２のセルから送信されたデータを処理することを試みるための手段と、
前記第２のセルから送信されたデータを処理する前記試みの結果を使用して第２の種類の干渉除去を実行し、前記第２のセルから送信されたデータによって生じる干渉を低減させるための手段と、
前記第２の種類の干渉除去を実行した後、前記第１のセルにおいて送信されたデータを復号する第２の試みを実行するための手段とを備える装置。
［Ｃ３０］  ワイヤレス通信のためのコンピュータプログラム製品であって、
第１のセルから送信されたデータを復号する第１の試みを実行し、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、
前記第２のセルから送信されたデータを処理する前記試みの結果を使用して第２の種類の干渉除去を実行し、前記第２のセルから送信されたデータによって生じる干渉を低減させ、
前記第２の種類の干渉除去を実行した後、前記第１のセルにおいて送信されたデータを復号する第２の試みを実行するためのコードを備えるコンピュータ可読媒体を備えるワイヤレス通信のためのコンピュータプログラム製品。
［Ｃ３１］  ワイヤレス通信のための装置であって、
処理システムを備え、前記処理システムが、
第１のセルから送信されたデータを復号する第１の試みを実行し、
復号する前記第１の試みが成功しなかった場合、前記第１のセルから送信されたデータを復号する前記第１の試みの結果を使用して第１の種類の干渉除去を実行し、前記第１のセルから送信されたデータによって生じる干渉を低減させ、
前記第１の種類の干渉除去を実行した後、少なくとも第２のセルから送信されたデータを処理することを試み、
前記第２のセルから送信されたデータを処理する前記試みの結果を使用して第２の種類の干渉除去を実行し、前記第２のセルから送信されたデータによって生じる干渉を低減させ、
前記第２の種類の干渉除去を実行した後、前記第１のセルにおいて送信されたデータを復号する第２の試みを実行するように構成される装置。
【図１】
0005844476.tif 000002
【図２】
0005844476.tif 000003
【図３】
0005844476.tif 000004
【図４】
0005844476.tif 000005
【図５】
0005844476.tif 000006
【図６】
0005844476.tif 000007
【図７】
0005844476.tif 000008
【図８】
0005844476.tif 000009
【図９】
0005844476.tif 000010